(57)【要約】【課題】引っ張りコイルスプリングで排出させられたマガジンが、筐体の挿入口から勢いよく飛び出して落下することを防止する。【解決手段】前記排出部材１４がマガジン装填部Ｂ内で移動余裕Ｓを有している。引っ張りコイルスプリング１５で付勢される排出部材１４に押されたマガジンＭが（ｉ）方向に排出されると、前記排出部材１４の傾斜部１４ｂが、案内部１２ｄの端部１２ｄ１に当たって上方へ摺動するとともに、排出部材１４の突部１４ｇが壁部１２Ａ１の下面に当接する。このとき排出部材１４には突部１４ｇの当接点Ｑを支点とした反時計方向への回動力が作用し、押圧部１４ｄによってマガジンＭが底面１２Ｃに押し付けられて、マガジンＭに突出抵抗力が与えられる。【選択図】　　図４
2004070996.tif 000002
【特許請求の範囲】
【請求項１】
内部に記録媒体が収納されたケースが挿入口から装填部へ挿入されて設置される電子機器において、
前記装填部には、前記挿入口に向けて移動可能で且つその移動の際にケースを前記挿入口に向けて押し出す排出部材と、前記排出部材を前記挿入口に向けて案内する案内部が形成された壁部と、前記排出部材を前記挿入口に向けて付勢するばね部材とが設けられており、
前記排出部材には、装置奥側に位置して前記ケースに排出力を与える押圧部が設けられているとともに、前記排出部材と前記壁部との少なくとも一方には、前記ばね部材の付勢力により前記排出部材の前記挿入口側を前記ケースから離れる方向へ案内する傾斜部と、前記押圧部と前記傾斜部との間に位置し前記傾斜部により前記排出部材の挿入口側が前記ケースから離れる際に前記排出部材と前記壁部とを部分的に当接させるための突部とが設けられており、
前記排出部材が前記挿入口側へ移動して前記ケースの一部が挿入口から突出させられたときに、前記傾斜部で排出部材がケースから離れる方向へ案内され且つ、前記突部で前記排出部材と前記壁部とが当接することにより、前記排出部材に前記突部を支点とする回動力が作用して前記押圧部から前記ケースに対して排出力に対抗する抵抗力が与えられることを特徴とする電子装置。
【請求項２】
前記排出部材に設けられた前記押圧部は、排出部材の移動方向に対して傾斜しており、前記ばね部材の付勢力の分力が、押圧部から前記ケースへ装填部の底部方向へ押し付ける押圧力として作用する請求項１記載の電子装置。
【発明の詳細な説明】
【０００１】
【発明の属する技術分野】
本発明は、例えば複数枚のディスクが収納されたマガジン、またはディスク以外の記録媒体が収納されたパッケージなどのケースが装填される電子装置に係り、特に前記ケースを装填部から排出させる際にこのケースが必要以上に飛び出さないようした電子装置に関する。
【０００２】
【従来の技術】
図５は記録媒体が装填される電子装置の従来の一例としてディスクチェンジャの一部を示す斜視図である。
【０００３】
図５に示すディスクチェンジャ１は、機構シャーシ２の天井面２Ａに排出機構３が設けられている。前記排出機構３には排出レバー４が設けられている。前記排出レバー４は、前記天井面２Ａに、（ｉ）−（ｉｉ）方向へ往復移動自在に支持されており、スプリング５，５により（ｉ）方向へ付勢されている。
【０００４】
複数のディスク（例えばコンパクトディスク）Ｄが収納されたマガジンＭは、ディスクチェンジャ１内のマガジン装填部Ｂに装填される。このときマガジンＭの挿入方向の先端上部が、排出レバー４の押圧部となる折曲部４ａに当たり、マガジンＭを手で押す力によりスプリング５，５の付勢力に抗して排出レバー４が（ｉｉ）方向へ移動させられ、その移動終端でマガジンＭが機構シャーシ２の底面２Ｃに設けられたロック機構６でロックされる。
【０００５】
前記マガジンＭを排出する際に、前記ロック機構６によるロックを外すと、排出レバー４がスプリング５，５の付勢力により（ｉ）方向へ強制的に移動させられる。このとき、排出レバー４の折曲部４ａによりマガジンＭが押されて（ｉ）方向へ排出される。
【０００６】
ここで、前記排出レバー４が、スプリング５，５によってある程度強い力で（ｉ）方向へ駆動されると、マガジンＭがディスクチェンジャ１のマガジン装填部Ｂから飛び出して落下することがある。
【０００７】
そこで、従来は、例えばディスクチェンジャ１の機構シャーシ２の天井面２Ａから機構シャーシ２の内方に挿入された板ばねなどからなる制動部材７が設けられている。前記制動部材７は、マガジンＭが（ｉ）方向に移動するときに、その先端部がマガジンＭの上面を弾圧することで抵抗力が与えられ、前記マガジン装填部Ｂから必要以上に飛び出すのを防止できるようにしている。
【０００８】
【発明が解決しようとする課題】
しかし、上記従来の排出機構３では、マガジンＭがマガジン装填部Ｂ内に位置しているときに、常に制動部材７からマガジンＭに弾性押圧力が作用し続けている。したがって、マガジンＭを装填するときに、前記スプリング５，５の付勢力と、前記制動部材７の弾性押圧力の双方がマガジンＭに対して挿入抵抗力として作用するため、マガジンＭを挿入する際の抵抗力が非常に大きくなる。また、マガジンＭを挿入するときに、制動部材７とマガジンＭとが摺動し続けるため、その摺動抵抗が大きいのみならず、摺動によりマガジンＭの外面を傷つけるおそれがある。
【０００９】
さらに、マガジンＭを排出させる際に、制動部材７とマガジンＭとの摺動抵抗力が作用し続けるため、スプリング５，５の力が弱い場合には、排出レバー４によってマガジンＭを確実に押し出せないことがある。
【００１０】
すなわち、制動部材７の弾性力とスプリング５，５の弾性力とを、うまくバランスさせて設定しないと、前記のように排出レバー４でマガジンＭを確実に押し出せなかったり、あるいはマガジンＭを挿入させる際の抵抗力が極端に大きくなるなどの不都合が生じる。しかし、ディスクチェンジャ１の設置姿勢（取付角度）やマガジン内に収納されているディスクの枚数等はユーザー毎に様々であり、これら多様な使用環境に応じて、板ばねなどで形成されている制動部材７の弾性力を微妙に調整し、また適正な弾性力を長時間変化しないように維持させることはきわめて困難である。
【００１１】
本発明は上記従来の課題を解決するためのものであり、マガジンなどのケースを押し出す排出部材の動作を利用して、ケースに突出時の抵抗力を与えるようにして、挿入抵抗を極端に大きくすることなく、また排出動作を阻害することなく、ケースの飛び出しを防止できるようにした記録媒体が装填される電子装置を提供することを目的としている。
【００１２】
【課題を解決するための手段】
本発明は、内部に記録媒体が収納されたケースが挿入口から装填部へ挿入されて設置される電子機器において、
前記装填部には、前記挿入口に向けて移動可能で且つその移動の際にケースを前記挿入口に向けて押し出す排出部材と、前記排出部材を前記挿入口に向けて案内する案内部が形成された壁部と、前記排出部材を前記挿入口に向けて付勢するばね部材とが設けられており、
前記排出部材には、装置奥側に位置して前記ケースに排出力を与える押圧部が設けられているとともに、前記排出部材と前記壁部との少なくとも一方には、前記ばね部材の付勢力により前記排出部材の前記挿入口側を前記ケースから離れる方向へ案内する傾斜部と、前記押圧部と前記傾斜部との間に位置し前記傾斜部により前記排出部材の挿入口側が前記ケースから離れる際に前記排出部材と前記壁部とを部分的に当接させるための突部とが設けられており、
前記排出部材が前記挿入口側へ移動して前記ケースの一部が挿入口から突出させられたときに、前記傾斜部で排出部材がケースから離れる方向へ案内され且つ、前記突部で前記排出部材と前記壁部とが当接することにより、前記排出部材に前記突部を支点とする回動力が作用して前記押圧部から前記ケースに対して排出力に対抗する抵抗力が与えられることを特徴とするものである。
【００１３】
この電子装置では、排出部材で押されたケースの一部が挿入口から突出した時点で、排出部材と壁部とが突部を介して当接し、さらに排出部材に回動力が作用することで、前記排出部材からケースに抵抗力が作用する。したがって、ケースは排出動作の最初よりも後半において大きな抵抗力を受けるようになり、挿入口からスムーズに突出し且つ挿入口からの飛び出しなどが防止される。またケースを装填部に挿入するときの抵抗力が過大となることがない。
【００１４】
また、前記排出部材に設けられた前記押圧部は、排出部材の移動方向に対して傾斜しており、前記ばね部材の付勢力の分力が、押圧部から前記ケースへ装填部の底部方向へ押し付ける押圧力として作用するものが好ましい。
【００１５】
この構造では、排出部材の排出方向への移動力がケースに対して抵抗力として作用するため、ケースに与えられる抵抗力を増加できる。
【００１６】
なお、本発明の電子装置に装填される記録媒体は、コンパクトディスク（ＣＤ）、ディジタル・バーサタイル・ディスク（ＤＶＤ）、ミニディスク（ＭＤ）、ＣＤ−ＲＯＭなどの各種光ディスク、磁気ディスクなどであり、これらディスクがケース内に１枚または複数枚収納されているものである。例えば、ディスクチェンジャの場合、マガジンと称されるケース内に、複数枚のＣＤなどが収納されている。またＭＤの場合には１枚の光磁気ディスクが収納されたカートリッジが本発明でのケースに相当する。あるいはメモリなどの記録媒体がケース内に収納されているものであってもよい。
【００１７】
【発明の実施の形態】
図１は本発明の記録媒体が装填される電子装置の一実施の形態としてディスクチェンジャを示す斜視図、図２ないし図４はマガジンが排出されるときの各動作状態を示す図１のＩＩ−ＩＩ線断面図であり、図２はマガジンがマガジン装填部内でロックされた装填完了状態、図３はマガジンが排出方向へ移動している途中の移動状態、図４は排出方向へ移動したマガジンの一部が挿入口から突出した状態で停止させられた停止状態を示している。
【００１８】
図１に示すように、このディスクチェンジャ１１は、図示しない外装ケース内に機構シャーシである筐体１２が収納されている。前記筐体１２には、記録媒体としてのディスクを収納したケースの一例であるマガジンＭが装填される。前記筐体１２には前記マガジンＭが出入りする挿入口１２Ｄが開口し、前記筐体１２の内部には、前記挿入口１２Ｄから挿入されたマガジンＭが装填されるマガジン装填部Ｂが設けられている。前記筐体１２が収納される前記外装ケースの前面は化粧パネルとなっており、この化粧パネルには前記挿入口１２Ｄに通じる挿入口が形成されている。
【００１９】
前記マガジンＭ内には複数枚のディスクが引出し自在に収納されており、その出入口をＭａで示している。図１に示すように、前記マガジン装填部Ｂ内にマガジンＭが装填された状態で、前記出入口Ｍａが筐体１２内において図示右側へ向けられる。
【００２０】
図２および図３に示すように、マガジンＭの上面Ｍ１の（ｉｉ）方向の先部には、前記上面Ｍ１から上方に突出する被押圧部Ｍ３が形成されている。後に説明する排出部材１４は前記被押圧部Ｍ３に当たるようになっている。
【００２１】
筐体１２内の図１における右側の部分はディスク駆動部Ｅである。このディスク駆動部Ｅには昇降移動するディスク駆動ユニットが設けられている（図示せず）。マガジン装填部ＢにマガジンＭが装填された状態で、所望のディスクを選択する指令操作が行われると、ディスク駆動部Ｅにて駆動ユニットが昇降し、マガジンＭ内のいずれかのディスクＤが選択される。駆動ユニットがいずれかのディスクＤを選択する位置に停止すると、マガジンＭの前記出入口Ｍａからディスク（例えば直径１２ｃｍのコンパクトディスク）Ｄが引き出されて駆動ユニット内に保持され、ディスクＤが回転駆動されて光ヘッドにより再生動作が行われる。
【００２２】
筐体１２の天井面１２Ａには、マガジンＭの出入りのための移動方向である（ｉ）−（ｉｉ）方向に延びる一対の開口部１２ｂ，１２ｂが形成されている。前記開口部１２ｂと開口部１２ｂとの間の壁部１２Ａ１には、前記移動方向に延びる長方形穴の案内部１２ｄと、同じく移動方向に延びる長円穴である案内長穴１２ｅが形成されている。前記壁部１２Ａ１の下には、マガジンＭの移動方向に沿って（ｉ）−（ｉｉ）方向へ移動する長い板状の排出部材１４が設けられている。
【００２３】
排出部材１４の挿入口１２Ｄ側に向く排出方向（（ｉ）方向）の一端には、排出部材１４の本体から上方へ折曲げ形成されたガイド片１４ａが一体に形成されている。前記ガイド片１４ａの折曲げ形成された部分に傾斜部１４ｂが形成されている。
【００２４】
また排出部材１４には、前記ガイド片１４ａよりも筐体１２内の奥側において、その上面にガイド軸１４ｃが設けられ、前記ガイド軸１４ｃは前記案内長穴１２ｅに挿入されて案内されている。前記ガイド軸１４ｃの長さ寸法は、前記壁部１２Ａ１の板厚よりも長く、その上端には、前記案内長穴１２ｅ内から下方への抜けを防止する抜け止め部１４ｃ１が設けられている。したがって、前記排出部材１４は、前記ガイド軸１４ｃの長さと壁部１２Ａ１の板厚との寸法差分だけマガジン装填部Ｂ内において上下に移動できるようになっている。
【００２５】
前記ガイド片１４ａが案内部１２ｄに案内され、前記ガイド軸１４ｃが案内長穴１２ｅに案内されることにより、排出部材１４は壁部１２Ａ１の下部において、（ｉ）−（ｉｉ）方向へ摺動自在となっている。また排出部材１４の（ｉｉ）方向の他端には、排出部材１４の本体から傾斜状に折り曲げられた押圧部１４ｄと、その先端にマガジンＭの挿入側の面に対向する対向部１４ｅとが一体で形成されている。
【００２６】
前記ガイド片１４ａと前記押圧部１４ｄとの中間には、上方に突出する突部１４ｇ，１４ｇが前記案内部１２ｄの幅寸法よりも広い対向間隔を空けて前記排出部材１４の表面に一体に隆起形成されている。図２に示すように、マガジンＭが装填部Ｂ内に装填されて排出部材１４が装填完了状態にあるとき、および図３に示すように前記排出部材１４が（ｉ）方向へ移動している移動途中では、前記突部１４ｇが前記壁部１２Ａ１に当たらない下方に位置しており、図４に示すように、排出部材１４が（ｉ）方向へ移動して停止状態に至るのとほぼ同時に、前記突部１４ｇ，１４ｇが前記案内部１２ｄの両サイドの前記壁部１２Ａ１の下面に当たって当接点Ｑが形成される。
【００２７】
図２に示すように、筐体１２の（ｉｉ）方向の奥部背面の壁には切欠部１２ｇが形成されており、前記排出部材１４が図示（ｉｉ）方向に最も移動させられた装填完了状態に達すると、前記押圧部１４ｄおよび対向部１４ｅが前記切欠部１２ｇに入り込むようになる。
【００２８】
前記排出部材１４には両側方向に延びるばね掛け片１４ｆ，１４ｆが一体に形成されて、これが前記筐体１２の開口部１２ｂ，１２ｂに延びている。筐体１２の天井面１２Ａにはばね掛け部１２ｆ，１２ｆが形成されており、ばね掛け片１４ｆ，１４ｆとばね掛け部１２ｆ、１２ｆとの間に、ばね部材として一対の引っ張りコイルスプリング（ばね部材）１５，１５が掛けられている。この引っ張りコイルスプリング１５，１５の弾性力により排出部材１４には、常に排出方向である（ｉ）方向への付勢力Ｆｓが与えられている。
【００２９】
マガジン装填部Ｂ内にマガジンＭが挿入されている状態で、排出部材１４は筐体１２の壁部１２Ａ１の下面とマガジンＭの上面Ｍ１との間に位置することになるが、前記壁部１２Ａ１の下面と前記上面Ｍ１との間には、前記排出部材１４の回動動作を許容する移動余裕Ｓが設けられている。
【００３０】
図１に示すように、マガジンＭのマガジン装填部Ｂでは、筐体１２の底面１２Ｃにロック部材１６が設けられ、このロック部材１６は圧縮スプリング１７の付勢力により天井方向へ突出するように付勢されている。一方、マガジンＭの下面には、前記ロック部材１６に嵌合するロック溝Ｍ２が形成されている。
【００３１】
なお、前記ディスクチェンジャ１１には、前記ロック部材１６を圧縮スプリング１７の付勢力に抗して図示下方に強制的に移動させるロック解除機構が設けられており、マガジンＭのロック状態を解除できるようになっている（図示せず）。
【００３２】
以下、前記ディスクチェンジャにおけるマガジンの挿入および排出動作を説明する。
【００３３】
マガジンＭの装填を待機しているときには、前記引っ張りコイルスプリング１５，１５の付勢力Ｆｓによって、前記排出部材１４が挿入口１２Ｄ側へ移動している。挿入口１２ＤからマガジンＭが挿入されると、前記被押圧部Ｍ３が排出部材１４の押圧部１４ｄに当たる。マガジンＭがマガジン装填部Ｂに向けて（ｉｉ）方向へ挿入されると、引っ張りコイルスプリング１５，１５の付勢力Ｆｓに対抗して排出部材１４が（ｉｉ）方向へ移動させられる。
【００３４】
このとき、前記被押圧部Ｍ３によって傾斜している押圧部１４ｄが（ｉｉ）方向へ押されるため、排出部材１４は、ガイド片１４ａと壁部１２Ａ１との当接部を支点として、押圧部１４ｄ側が持上げられるように傾きながら、マガジンＭと共に（ｉｉ）方向へ押し込まれる。
【００３５】
図２に示すように、マガジンＭが、（ｉｉ）方向の終端まで押し込まれると、図１に示す前記ロック部材１６が前記マガジンＭのロック溝Ｍ２に嵌合し、マガジンＭが前記マガジン装填部Ｂにロックされた装填完了状態となる。この装填完了状態では、前記被押圧部Ｍ３が前記押圧部１４ｄに当たった状態で、排出部材１４の（ｉｉ）側の端部が前記壁部１２Ａ１の下面に当接する。よって、傾斜している押圧部１４ｄによって前記被押圧部Ｍ３が斜め下向きに押さえ込まれ、その押圧力Ｆ１の分力Ｆ１ｚによりマガジンＭが筐体１２の底面１２Ｃに押し付けられている。したがって、マガジンＭの底面に、前記ロック部材１６が確実に嵌合できるようになる。
【００３６】
また、前記マガジンＭと共に排出部材１４が（ｉｉ）方向へ押し込まれるときには、前記突部１４ｇ，１４ｇが前記壁部１２Ａ１から図示下方に離れているため、壁部１２Ａ１に前記突部１４ｇ，１４ｇが摺動することがなく、その摺動摩擦力が抵抗力として作用することがない。よって、マガジンＭを挿入するときに挿入負荷を低減できる。
【００３７】
次に、マガジンＭを排出するための操作釦が操作されると、図示しないロック解除機構によりロック部材１６が筐体１２の底面１２Ｃから下方向へ後退させられ、ロック部材１６がマガジンＭのロック溝Ｍ２から外れてマガジンＭのロックが解除される。
【００３８】
ロック解除と同時に、引っ張りコイルスプリング１５，１５の付勢力Ｆｓにより、排出部材１４が（ｉ）方向へ移動し始め、前記排出部材１４の前記押圧部１４ｄによってマガジンＭが押し出される。このときも傾斜している押圧部１４ｄから被押圧部Ｍ３に与えられる排出力の分力が底面１２Ｃに向けて与えられるため、マガジンＭと底面１２Ｃとの摩擦力が増加されて、マガジンＭに対して突出に対する抵抗力を作用させることができる。
【００３９】
そして、図４に示すように、排出部材１４が（ｉ）方向の移動終端に移動すると、マガジンＭの一部が挿入口１２Ｄから突出する。このとき、排出部材１４のガイド片１４ａに設けられた傾斜部１４ｂが、案内部１２ｄの挿入口側の端部１２ｄ１に当たり、前記引っ張りコイルスプリング１５からの付勢力Ｆｓにより、前記傾斜部１４ｂが前記端部１２ｄ１の上端の摺動点Ｐを摺動し、前記ガイド片１４ａは壁部１２Ａ１から上方へ離れるように案内される。
【００４０】
前記の案内動作により、排出部材１４に設けられた突部１４ｇ，１４ｇが壁部１２Ａ１の下面に当接して当接点Ｑが形成される。前記傾斜部１４ｂによりガイド片１４ａが持上げられると、排出部材１４は前記当接点Ｑを支点として反時計方向へ回動する。このとき前記引っ張りコイルスプリング１５の付勢力Ｆｓは、前記当接点Ｑよりも図示下側に作用しているため、この付勢力Ｆｓによってさらに排出部材１４が反時計方向へ回動させられる。すなわち、前記傾斜部１４ｂによる持上げ案内力および前記付勢力Ｆｓの双方によって、排出部材１４が反時計方向へ回動させられる。
【００４１】
よって、マガジンＭの一部が挿入口１２Ｄから突出した時点で、マガジンＭに対して底面１２Ｃの方向へ大きな力が作用し、マガジンＭに対して突出力と対抗する大きな抵抗力を与えることができる。よって、マガジンＭの一部が挿入口１２Ｄから突出するときに、その慣性力でマガジンＭが挿入口１２Ｄから勢いよく飛び出すのを防止できるようになる。
【００４２】
また、マガジン装填部ＢからマガジンＭが抜き出されると、排出部材１４は前記摺動点Ｐを支点として反時計方向へ最も回動した姿勢で、次のマガジンＭの挿入を待つようになる。
【００４３】
なお、前記実施の形態の他に、傾斜部１４ｂを、前記端部１２ｄ１側に形成して、（ｉ）方向の終端に移動したガイド片１４ａが前記傾斜部によって上方へ案内されるように構成することもできる。
【００４４】
また、突起１４ｇ，１４ｇを、排出部材１４側ではなく、壁部１２Ａ１の下面の当接点Ｑで示す部分に形成しても良い。あるいは排出部材１４と壁部１２Ａ１の両方に互いに対向する突部を形成しても良い。
【００４５】
【発明の効果】
以上のように本発明では、排出部材がばね部材の力で移動してマガジンなどのケースが押し出される際に、その最終時点で、ケースが挿入口から極端に突出したり、あるいは挿入口から脱落するのを防止できるようになる。
【００４６】
また、排出部材の動作のみで、ケースに排出力と、飛び出しを防止する抵抗力の双方を与えているため、構造が簡単であり、しかもケースの排出動作をスムーズに行わせることができる。
【図面の簡単な説明】
【図１】本発明の実施の形態としてディスクチェンジャを示す斜視図、
【図２】図１のＩＩ−ＩＩ線断面図であり、マガジンが装填部内でロックされた装填完了状態を示す、
【図３】図１のＩＩ−ＩＩ線断面図であり、マガジンが排出方向へ移動している途中を示す移動状態、
【図４】図１のＩＩ−ＩＩ線断面図であり、排出方向へ移動したマガジンの一部が挿入口から突出した状態で停止させられた停止状態、
【図５】従来のディスクチェンジャの一部を示す斜視図、
【符号の説明】
１１　ディスクチェンジャ
１２　筐体
１２Ａ　天井面
１２Ａ１　壁部
１２Ｃ　底面
１２Ｄ　挿入口
１２ｄ　案内部
１２ｆ　ばね掛け部
１２ｅ　案内長穴
１４　排出部材
１４ａ　ガイド片
１４ｂ　傾斜部
１４ｆ　ばね掛け片
１４ｄ　押圧部
１４ｅ　対向部
１４ｇ　突部
１５　引っ張りコイルスプリング（ばね部材）
１６　ロック機構
Ｂ　マガジン装填部
Ｍ　マガジン
Ｍ１　マガジンの上面
Ｍ３　被押圧部
Ｑ　当接点
【図１】
2004070996.tif 000003
【図２】
2004070996.tif 000004
【図３】
2004070996.tif 000005
【図４】
2004070996.tif 000006
【図５】
2004070996.tif 000007